(57)【特許請求の範囲】
【請求項１】
下方部分に読書用のレンズ部分（５）を備える多焦点コンタクトレンズにおいて、前記読書用のレンズ部分の全ての側部が残りのレンズ部分と境界を接し、該読書用のレンズ部分が、読書用のレンズ部分のために厚み部を設ける代わりに、薄い部分または凹部を設けるように、前記残りのレンズ部分から形成されることを特徴とする多焦点コンタクトレンズ。
【請求項２】
前記残りのレンズ部分が遠視レンズ部分であることを特徴とする請求項１に記載の多焦点コンタクトレンズ。
【請求項３】
前記読書用のレンズ部分が前記残りのレンズ部分の表面積の少なくとも２５％であって最大で５０％であることを特徴とする請求項１または２に記載の多焦点コンタクトレンズ。
【請求項４】
前記読書用のレンズ部分と前記残りのレンズ部分との間に移行部分（９，１０）を具備し、該移行部分が前記残りのレンズ部分の表面積の少なくとも１０％であって最大で３０％であることを特徴とする請求項３に記載の多焦点コンタクトレンズ。
【請求項５】
レンズの水平軸線に関して、前記読書用のレンズ部分の反対側に別の読書用のレンズ部分を具備することを特徴とする請求項１〜４のいずれか１つに記載の多焦点コンタクトレンズ。
【請求項６】
回転対称ではない請求項１〜５のいずれか１つに記載の多焦点コンタクトレンズであって、瞳上における当該多焦点コンタクトレンズの位置を安定させるための位置安定手段を具備し、該位置安定手段が少なくとも２つの盛上がり部分（６）を有し、これら盛上がり部分がレンズの水平軸線（１３）の上方に設けられると共に、これら盛上がり部分の高さが０．０５ｍｍから０．１ｍｍであり、当該多焦点コンタクトレンズの底部分に配置され且つ重い部分を備える別の安定手段（７）があることを特徴とする多焦点コンタクトレンズ。
【請求項７】
前記別の安定手段が隆起部分を有することを特徴とする請求項６に記載の多焦点コンタクトレンズ。
【請求項８】
前記別の安定手段が周縁厚み部分を有することを特徴とする請求項６〜７のいずれか１つに記載の多焦点コンタクトレンズ。
【請求項９】
厚み部分がない周縁部分と前記周縁厚み部分との間に傾斜した移行領域（８）が設けられ、
鉛直軸線が９０度から２７０度であるときに、前記鉛直軸線の上側が９０度である場合において、前記移行領域（８）が、水平軸線の０度の側において、０度と３１５度との間で延び、水平軸線の１８０度の側において、１８０度と２２５度との間で延びることを特徴とする、
請求項８に記載の多焦点コンタクトレンズ。
【請求項１０】
前記厚み部分の高さが０．１ｍｍから０．４ｍｍであることを特徴とする請求項８または９に記載の多焦点コンタクトレンズ。
【請求項１１】
鉛直軸線が９０度から２７０度であるときに、前記鉛直軸線の上側が９０度である場合において、前記移行領域（８）が、水平軸線の０度の側において、＋７０度と２７０度との間で延びることを特徴とする請求項９または１０に記載の多焦点コンタクトレンズ。
【請求項１２】
旋削による製造工程を具備する、請求項１から１１のいずれか１項に記載の多焦点コンタクトレンズの製造方法であって、コンタクトレンズ半製品が回転機械加工ホルダに配置されると共に１つまたは１つ以上の材料排除装置の影響を受けるようになっている多焦点コンタクトレンズ製造方法において、盛上がり部分と周縁厚み部分と読書用レンズ部分との少なくとも１つを形成するように旋削中に前記回転しているコンタクトレンズ半製品が回転軸線の方向に沿って前記材料排除装置に対して前後に移動せしめられることを特徴とする製造方法。
【請求項１３】
前記回転しているコンタクトレンズ半製品が約２００Ｈｚの周波数で且つ最大約０．３ｍｍのストロークで前後に移動せしめられることを特徴とする請求項１２に記載の製造方法。
【請求項１４】
前記材料排除装置が工具を有することを特徴とする請求項１２または１３に記載の製造方法。
【請求項１５】
前記材料排除装置がレーザービーム装置を有することを特徴とする請求項１２〜１４のいずれか１つに記載の製造方法。
【発明の詳細な説明】
本発明は底部に読書部分を有すると共に頂部に他のレンズを有する多焦点コンタクトレンズに関する。
上記レンズは米国特許第4,854,089号で公知である。一般的な従来技術ではレンズ中央に湾曲半径が小さい部分を提供することが公知である。湾曲半径の小さなこの部分はあたかも湾曲半径の大きな部分にある。これは回転対称なレンズであり、安定手段を要しない。Ｒless-Ｒverte（読書部分−遠視部分）の移行箇所に折れ（kink）があるので光学軸線方向において多くの反射が生じ、これはレンズの光学特性が不適切であることを意味する。
また読書部分がレンズ材に成形あるいは注型され又は半月形で前側に配置されたデザインも従来公知である。このシステムはレンズが遠視からクローズアップまで十分に動けるときのみ働く。読書部分はレンズが角膜の中央にあるときには瞳の約５０％を覆う。歪んでいない像を得るためにはレンズが下瞼にくるまで又は下瞼より下方にくるまでレンズが下降しなければならない。読書するには再びレンズが上昇しなければならない。これらシステムは光学軸線が水平ではないことを特徴としており、この結果、像の不連続が常に生じる。このため装着者にとって像が不安定であり、二重に見えたり像に影があったりといった不満がでる。
他のシステム（正接縞（tangent streak））では光学軸線が水平のままである。これはレンズの中央に正確にある。このレンズの欠点は遠視／クローズアップの割合が常に５０％であることである。レンズは二つの半体に正確に分かれている。この光学システムは読書部分と遠視部分との二つの外径が一様に湾曲していること、すなわちこれらが中心から縁まで球形であることを特徴とする。このため製造されたレンズが非常に厚い。またこのデザインでは縁で二つのカーブ間に非常に大きな高低差が生じる。両者は装着や見ることに関する快適さに非常にマイナスの影響を与える。
一方、レンズ上の読書部分は一種の半月として設計される。本レンズの特徴は像の大きな不連続が生じることである。この理由は一方で目の上での安定した位置を得るために、また一方で読書部分を作製するのに十分な材料を残すために、レンズがプリズム的でなければならないということにある。このプリズム効果は遠視部分に光学的に存在する。しかしながら第二の例の読書部分にはプリズム効果がない。光学的中心点は光学軸線上になく、これらは中心で接線方向に連結もされない。更なる欠点は読書部分である前側での半月の形状が調整不能であることである。これは結果的なものである。この部分の寸法は各レンズの倍率の組合せで異なり、その結果、読書部分が大きすぎると、製造できる遠視領域が小さすぎる。この結果、レンズには使用者にとっての多くの反射がある。レンズは機能するために大きな鉛直方向運動を要する。このため使用者は大いに不快となる。
したがって本発明の目的は、光学軸線方向において厄介な反射や像の不連続を引き起こす折れ（kink）または同様の移行がなく二重視特徴を有し、遠視および読書機能を実現するのに瞳上での大きな動きを必要としないという特徴を有する多焦点レンズを提供することにある。
上記問題は請求の範囲第１項の特徴により本発明に従って解決される。読書部分はレンズの残りの部分から取られ、すなわちレンズに読書部分用の厚み部を設ける代わりに薄い部分または凹部を設ける。これは読書部分と遠視部分との間が非常にゆるやかに移行することを意味し、その結果、刺激、像の不連続および反射が回避される。レンズはレンズシステムにおける遠視／クローズアップ割合が最適に選択可能であるので普通の単焦点レンズより多くの動きを必要としない。30〜40％の読書部分と60〜70％の遠視部分の割合が良い値である。レンズが目の低い位置にある幾つかの場合には例えば50％の読書と50％の遠視とが良い解決策である。領域の大きさ、位置および形状はレンズ装着者のニーズに対し本発明により正確に仕立てられる。移行位置で二つのカーブが融合するのでレンズの中心には移行がない、すなわち二つのカーブが互いに接触する角度は等しい。表面の生じるさらに遠い位置の高低差は光学的に評価できる効果もなく正弦曲線的に小さくなる、または光学的に効果的に働く中間領域が製造されるように小さくなる。それから光学的に働く移行領域が多焦点効果を備えて部分間に作られる。このためレンズが非常に薄くなり、レンズの酸素透過性も最適になる。レンズの外周はレンズ表面の残りの部分の寸法を有する、すなわちレンズの外周と読書部分との間に移行領域がある。こうして刺激が回避される。
本発明の更なる変更例によれば底側に普通の形態で読書部分を備えた多焦点レンズが提供される。本発明の有利な実施形態によれば（レンズ軸線に対して）第一の読書部分の反対側に配置された少なくとも一つの更なる読書部分が設けられる。これはレンズの安定性が重要でなくなる又は不要とさえなることを意味する。この更なる読書部分には第一の読書部分と同じ倍率または第一の読書部分とは異なる倍率がある。
上記レンズは好ましくは後述する位置安定手段を備えるが、従来公知の他の位置安定手段と共に働くこともできる。人間の目が上記第二の読書部分の存在になれるので目上のレンズの位置が重要でなくなることが分かっている。
読書部分および遠視部分の双方が使用位置でのレンズ鉛直軸線に関して対称であるのが好ましい。さらに遠視部分の表面積の10〜30％を具備する移行領域が読書部分と遠視部分との間にあるのが好ましい。
上記位置安定手段は従来公知のいかなるデザインでもよい。欧州特許出願第0,042,023号を参照する。二焦点レンズおよび回転対称でない他のレンズでは瞳上でレンズ位置を固定することが何らかの点で重要である。上記欧州特許出願では盛上がり部分を水平軸線に対して対称に配置すべきことを提案している。このため瞼を閉じる度に安定が達成される。レンズの残りの部分に対する上記盛上がり部分の高さは0.1mmから0.2mmである。
上記デザインが適切に機能する状態は使用者が十分に頻繁に瞼を閉じる状態である。
この場合、レンズは目を閉じる間でのみ安定し、目が開いているときには修正されない。二回の瞬きの間の時間が比較的長いと、上記安定は適切には働かない。
高さを低くした場合、レンズが常に正しい位置にあることを適切に確実なものとはできないので高さを低くできないことが分かっている。これは上記レンズが一般的に受け入れられない理由である。
比較的小さい所謂ハードコンタクトレンズは下瞼上に自由に載ってしまうのでこのようなレンズでは隆起部分を使用できない。
従来公知の他の安定構造は独国実用新案G7034876.4に記載されている。この実用新案ではレンズの底側に厚み部分が設けられる。ここではレンズの重心はもはや中心になく、一方の側にある。瞳上で浮いているコンタクトレンズにはこの最も重い点が底側にあるようにそれ自身を配置する傾向がある。
十分な質量を得るために、かなり高くて幅の広い厚み部分が設計される。これは下瞼を刺激する。この問題を回避するためにプリズムのような他のタイプの厚み部分をコンタクトレンズに設けるべきことが提案されている。プリズムはレンズの底部分の厚さをかなり増大する結果をもたらすのみならず、使用者が他方の目に対して光学的高低差を受けるいわゆる光学的な像高さの不連続を招く。この高低差は2cm/mほどであり、特に厄介なものである。レンズの厚さが増大するので酸素透過性および装着快適性が低下する。
前記盛上がり部分をレンズの水平軸線の上方に設け、前記盛上がり部分の高さが0.05mmから0.1mmであり、レンズの底部分に配置され且つ重くなった部分を具備する更なる安定手段を設けた本発明によりコンタクトレンズの安定性が改良される。
動的安定と静的安定との両方がここで提案されるデザインで得られる。動的安定は盛上がり部分により達成される。しかしながら選択した盛上がり部分の位置が高すぎると上瞼がレンズを保持してしまい、瞬き後にレンズが中心位置に向かって動かないので従来技術に比べて盛上がり部分のサイズは比較的小さい。盛上がり部分が比較的低いため刺激が生じない。重量増大による安定手段は静的安定のために機能する。後者も同様にさらに制限されるので、これらに関する上記欠点は生じない。
水平軸線の上方に隆起部分を配置することでこれら隆起部分が常に軽く上瞼に接触して載り又はその僅かに下方に載ることから確実な位置方向決めが全期間で確実に得られる。またこのことは目を開けたときにレンズ底部の重い部分と協力してレンズが所定位置に維持されることを意味する。また瞬きのとき上瞼が下瞼より大きく移動するので、上瞼が瞬き中にレンズを大きく覆うことが分かっている。特にハードレンズ、すなわち比較的直径が小さいレンズの場合、水平軸線の上方に盛上がり部分があると下瞼が盛上がり部分には達しないか又はかろうじて達するだけなので有利である。
上記静的安定手段として隆起部分やプリズムのような従来公知の全てのタイプを用いることができる。さらにこれらが周縁厚み部分の形態でもよい。これら変更例を組み合わせることもできる。
動的安定手段があるため周縁厚み部分の重さが軽くなるので周縁厚み部分とレンズの残りの部分との間に移行領域を提供できる。これは上記独国実用新案G7034876.4に記載された構造とは異なり、突然の移行の結果による刺激には遭遇しない。しかしながらこの独国実用新案の構造では周縁厚み部分に含めるべき質量の理由でこのような突然の移行は避けられない。上記移行領域は正弦曲線形であり、すなわち移行は非常に滑らかである。
周縁厚み部分の高さは0.1mmから0.4mmであるのが好ましい。
上記周縁厚み部分の移行領域は比較的長く、鉛直軸線が90度から270度であるときに＋70度から０度と270度との間である。もちろん鏡像として反転された範囲も可能であり、110度から180度と270度との間の範囲である。これら移行領域は鏡像として反転される必要はない。
こうして設計されたレンズではその位置が良好に安定し、特に装着が快適であることが分かっている。
これら安定手段は遠視部分と読書部分との間に特別な移行がある上記多焦点コンタクトレンズから独立して達成される。
本発明はコンタクトレンズを製造する方法に関し、この方法は旋削による製造を具備し、該旋削中にコンタクトレンズの半製品が機械加工ホルダー上に配置され、一つまたはそれ以上の材料排除工具の影響を受ける。
従来技術では旋削動作（turning operation）とフライス削り動作（milling operation）とを組み合わせると盛上がり部分と他の表面不規則部分とが生じた。
この処理は上記レンズの製造費用を非常に高くすると共にこれらのデザインに制限を課した。スピン注型やモールド注型が代替処理として言及された。スピン注型は回転する型を用いる方法であり、これは液体モノマー材料で充填され、液体モノマーを紫外線に晒して硬化する。モールド注型プロセスでは、形成型が射出成形により製造され、この形成型が後に硬化する液体レンズ材料のための型として用いられる。上記製造方法は大量生産でなければ意味がなく、型の製造が非常に困難または不可能であるので、これらは技術的に達成困難である。
目的は少量生産し、またはレンズ、幾つかのコンタクトレンズあるいは少量生産用の成形型を製造することが比較的シンプルな方法でできるように上記方法を改良することにある。
この目的は、盛上がり部分、周縁厚み部分または読書レンズの少なくとも一つを形成するために、旋削中に回転するレンズまたは形成型を回転軸線方向に前記材料排除工具に対して前後に動かす上記方法で達成される。
このプロセスではレンズまたは形成型は好ましくは最大200Hzの周波数かつ約0.3mmのストロークのような或る周波数かつストロークで前後に動く。工具ではなくレンズが動くので異なる工具を異なる動作に用いることができる。
材料排除装置は従来の工具を具備するがレーザー光線によりレンズの半製品から材料を排除することもできる。材料運動方向に対する上記レンズまたは形成型の前後運動は、レンズが環境に対して前後に動くことを意味し、工具はこのような運動はしないが、工具が環境に対して前後に動くような転換が可能である。形成型の製造のために、注型モールドまたはスピン注型がその後用いられる。
図示した実施形態を参照して本発明を詳細に説明する。
図１は部分的に瞼が開いた目の中にある本発明のコンタクトレンズを示す。
図２は瞼が部分的に閉じた図１のコンタクトレンズを示す。
図３は本発明のコンタクトレンズの斜視側面断面図である。
図４は図２の線ＩＶ−ＩＶおよび図１のコンタクトレンズの鉛直軸線１２に沿った断面図である。
図５は図１のコンタクトレンズを更に変更したレンズを示す。
図６は図１のコンタクトレンズを更に変更したレンズを示す。
本発明のコンタクトレンズの全体を参照番号１で示した。詳細には示していないがコンタクトレンズは瞳の上にある。上瞼を線図的に参照番号２で示し、下瞼を参照番号３で示した。コンタクトレンズは遠視部分４と読書部分５とを具備する。なおこれは単なる例であり、本発明を他の回転対称なタイプや回転対称でないタイプのレンズに用いることもできる。
参照番号６は縁近くにある二つの盛上がり部分を示す。レンズの残りの部分に対する盛上がり部分の高さは0.1mmより小さい。またコンタクトレンズはその底側に周縁厚み部７を備える。特に図４から分かるように周縁厚み部７と盛上がり部分６との間には樋状溝が配置されており、この樋状溝から比較的長い距離にわたり移行領域８が周縁厚み部７まで延びる。
レンズの鉛直軸線を参照番号１２で示し、水平軸線を参照番号１３で示した。鉛直軸線から始めて上部位置が０度である。
上記移行領域８は約０度で始まり約315度で終わり、一方では約180度で始まり約225度で終わる。
しかしながら270度まで周縁の厚さを一様に厚くし、それから再び厚さを薄くしてもよい。レンズの高い部分および低い部分への移行部分はそれぞれ正弦曲線的である。
周縁厚み部７の最大厚さは例えば0.4mmである。
図３および図４から分かるように読書部分５は特別な方法でレンズに配置される。従来技術とは異なりこれは凹部で達成される。凹部への移行部分の横側を図２の参照番号９で、底側を参照番号１０で示した。
図４から分かるように半径Ｒvの遠視部分と半径Ｒlの読書部分との間の移行は特に緩やかである。これは目を殆ど又は全く刺激せず、装着快適性が増し、像の不連続や反射が回避されることを意味する。このデザインはレンズが非常に薄く作られていることを意味し、その結果、上記酸素透過性およびそれに関連した装着快適性が最適となる。さらに読書部分を設けて作られた凹部は安定効果を提供し、これは隆起部分または上記周縁厚み部のようなさらに安定させる手段に加えられる。
また図面から分かるように上記デザインは上記安定手段と特に良好に組み合わされる。しかしながら上記二焦点レンズにはこれら安定手段がなく、他の安定手段を備えて設計されている。
周縁厚み部がレンズの底側近くに配置されない場合でも読書部分５とレンズの外周部との間に距離が未だに残り、ここに移行部分１０が配置される。
図５は図１のレンズの更なる変更例を示す。既に用いた参照番号をここでも用いる。図面から分かるように、用いられた読書部分５から離れて更なる読書部分１５がある。後者の読書部分は第一の読書部分５よりも周囲に向かって僅かに短い距離だけ延びる。もちろんこの部分が第一の読書部分５とちょうど同じ程度または更に遠くまで延びていてもよい。更なる読書部分１５があることで目上におけるレンズの配置が重要でなくなることが分かっている。したがって上記実施形態ではレンズに組み合わせて図１の安定手段が示されているが、従来公知の他の安定手段を用いることもでき、またはこれらを全体的に排除することさえできる。
図６は位置安定手段が周囲プリズム２０を具備する本発明の実施形態の更なる変更例を示す。本実施形態では読書部分と遠視部分４との間の移行部分が特に広くなっており、すなわち部分１０および特に部分９の表面が早期のデザインに比べてかなり拡大されている。多焦点効果はこうして得られる。
さらに本実施形態の読書部分５は一点までテーパになっている。本発明で提案する製造方法により読書部分の境界をいかなる所望の形状にもでき、すなわちここで示した真っ直ぐな線または湾曲した線を従来公知の形状とすることもできる。読書部分がレンズの残りの部分に凹部として作られ、残りのレンズ部分により全側部の境界、すなわち底側の境界が形成されることが本質全てである。この底側におけるレンズの残りの部分は図６では参照番号２１で示した。
領域２１の幅はどんな値でもよい。例えば0.1mmから1mmの間の値である。
上記レンズは例えば旋削により製造され、すなわちレンズ上では旋削以外の操作は実行されない。読書部分５を製造するためには、旋削中にレンズが制御されつつ前後に動かされ、したがって領域５の材料のみがさらに機械加工により排除される。これはレンズの光学特性が適合されなければならないこれら領域の材料のみがさらに排除されることを意味する。当該工具は従来の送り運動を実行し、前後へは動かない。その結果、読書部分５は特にシンプルな形態で製造される。
好適実施形態を参照して本発明を説明したが本願の範囲を越えることなく多くの変更が可能である。他のタイプのレンズはレンズ材料に凹部分を形成することで上記安定または上記デザインから達成される。さらに上記旋削操作の代わりにレンズをスピン注型または成形注型プロセスにより製造することもできる。
【図１】
0004413997.tif 000002
【図２】
0004413997.tif 000003
【図３】
0004413997.tif 000004
【図４】
0004413997.tif 000005
【図５】
0004413997.tif 000006
【図６】
0004413997.tif 000007